(57)【要約】【課題】移動手摺の湾曲形状部を容易に展開することができ、補修作業の負荷を軽減することが可能な移動手摺補修用器具を提供することである。【解決手段】補修用器具１０ａは、展開側支持部１１ａ及び保形側支持部１２ａから構成される支持部と、湾曲当接板１６、締結部１７及び回動支持部１８を含む作動部１３ａと、バンド１９及び引張り駆動部２０を含む移動機構部１４ａと、を備える。また、展開側支持部１１ａは、第１支持部３０と、第２支持部３１と、を有する。【選択図】図１
2010265075.tif 000002
【特許請求の範囲】
【請求項１】
幅方向断面において、内面が手摺レールに当接する平坦形状部と、平坦形状部の両側から内面側に湾曲した２つの湾曲形状部と、湾曲して対向する２つの端部と、を含む乗客コンベアの移動手摺を、補修する際に用いられる移動手摺補修用器具であって、
平坦形状部の外面及び少なくとも一方の湾曲形状部の外面に当接して、移動手摺を支持する支持部と、
支持部に移動可能に設けられ、少なくとも端部に当接して湾曲形状部が展開する方向に移動する作動部と、
湾曲形状部が展開する方向に作動部を移動させる移動機構部と、
を備えることを特徴とする移動手摺補修用器具。
【請求項２】
請求項１に記載の移動手摺補修用器具において、
支持部は、
一方の湾曲形状部側に取り付けられ、作動部が移動可能に設けられる展開側支持部と、
他方の湾曲形状部側に取り付けられ、該湾曲形状部の平坦形状部側外面から端部側外面に亘って当接するように湾曲又は折れ曲がった形状を有する保形側支持部と、
から構成され、
展開側支持部及び保形側支持部は、互いに分離可能に連結されていることを特徴とする移動手摺補修用器具。
【請求項３】
請求項２に記載の移動手摺補修用器具において、
作動部は、
少なくとも端部に当接して湾曲形状部が展開する方向に回動する当接部と、
展開側支持部に固定される締結部と、
締結部に対して当接部を回動可能に連結する回動支持部と、
から構成されることを特徴とする移動手摺補修用器具。
【請求項４】
請求項３に記載の移動手摺補修用器具において、
当接部は、湾曲形状部の外面側から端部を通り内面側に至る形状に沿うように湾曲又は折れ曲がった形状を有し、湾曲形状部の内面に当接することを特徴とする移動手摺補修用器具。
【請求項５】
請求項４に記載の移動手摺補修用器具において、
移動機構部は、
一端が当接部に固定され、該一端から当接部が回動する方向に沿って設けられたバンド部と、
展開側支持部に固定され、バンド部の他端側に係合してバンド部の一端を引き寄せる引張り駆動部と、
から構成されることを特徴とする移動手摺補修用器具。
【請求項６】
請求項４又は５に記載の移動手摺補修用器具において、
展開側支持部は、
平坦形状部の外面に当接すると共に、保形側支持部と連結される第１支持部と、
少なくとも湾曲形状部の頂部に当接する第２支持部と、
から構成されることを特徴とする移動手摺補修用器具。
【請求項７】
請求項２〜６のいずれか１に記載の移動手摺補修用器具において、
保形側支持部は、湾曲形状部の内面に当接する内接部を有することを特徴とする移動手摺補修用器具。
【発明の詳細な説明】
【技術分野】
【０００１】
本発明は、乗客コンベアの移動手摺補修用器具に係り、特に、補修の作業効率を改善する移動手摺補修用器具に関する。
【背景技術】
【０００２】
エスカレータや動く歩道等の乗客コンベアには、ステップと共に移動する移動手摺が、欄干上の手摺レールに取り付けられている。移動手摺は、例えば、化粧ゴムと、化粧ゴムの内面側に数層積層された帆布（キャンバス）と、帆布の間に挿入されたスチール製薄板とから構成され、手摺レールに沿って連続した環状部材である。移動手摺の幅方向断面の形状は、Ｃ字状であって、内面が手摺レールに当接する平坦形状部と、平坦形状部の両側から内面側に湾曲した２つの湾曲形状部と、湾曲して対向する２つの端部と含み、湾曲形状部によって手摺レールを両側から挟むことで、手摺レールに沿った移動を可能にしている。
【０００３】
このような移動手摺には、例えば、長期の使用によって、亀裂や割れ等の損傷が発生する場合があり、損傷箇所の補修作業が必要になる。例えば、湾曲形状部或いは湾曲形状部と近接する部分に発生した亀裂や割れ等の損傷を補修する場合には、まず、移動手摺を手摺レールから取り外して、湾曲形状部を展開する必要がある。そして、損傷箇所の帆布を張り替える、亀裂に接着剤等を注入するなどの補修作業を行う。しかし、移動手摺の剛性は高く、湾曲形状部を展開することは容易ではない。例えば、２人の作業員が湾曲形状部を展開して、１人が帆布を張り替えるといった多人数による補修作業を余儀なくされる。
【０００４】
本発明に関連する技術として、移動手摺の補修方法が幾つか開示されている。例えば、特許文献１には、化粧ゴムの内面側の帆布が遊離したときに、この帆布遊離部が上側になるように移動手摺を裏返し、次いで、帆布遊離部に所定温度で溶融する接着剤を溶融させつつ注入し、その後、帆布遊離部の帆布表面を接着剤の溶融温度以上の温度で加熱しつつ圧接する補修方法が開示されている。
【先行技術文献】
【特許文献】
【０００５】
【特許文献１】特開平１０−２９７８６１号公報
【発明の概要】
【発明が解決しようとする課題】
【０００６】
上記特許文献１に開示された補修方法によれば、補修の作業効率を幾分改善できると想定される。しかしながら、移動手摺の湾曲形状部或いは湾曲形状部と近接する部分に損傷が発生した場合には、湾曲形状部を展開して作業することが要求されるが、特許文献１の補修方法を用いても、湾曲形状部の展開を容易に行うことはできず、依然として、多人数による作業を余儀なくされる。このように、従来の技術では、湾曲形状部を容易に展開することができず、作業負荷を十分に軽減することは困難であった。
【０００７】
本発明の目的は、移動手摺の湾曲形状部を容易に展開することができ、補修作業の負荷を軽減することが可能な移動手摺補修用器具を提供することである。
【課題を解決するための手段】
【０００８】
本発明に係る移動手摺補修用器具は、幅方向断面において、内面が手摺レールに当接する平坦形状部と、平坦形状部の両側から内面側に湾曲した２つの湾曲形状部と、湾曲して対向する２つの端部と、を含む乗客コンベアの移動手摺を、補修する際に用いられる移動手摺補修用器具であって、平坦形状部の外面及び少なくとも一方の湾曲形状部の外面に当接して、移動手摺を支持する支持部と、支持部に移動可能に設けられ、少なくとも端部に当接して湾曲形状部が展開する方向に移動する作動部と、湾曲形状部が展開する方向に作動部を移動させる移動機構部と、を備えることを特徴とする
【０００９】
また、支持部は、一方の湾曲形状部側に取り付けられ、作動部が移動可能に設けられる展開側支持部と、他方の湾曲形状部側に取り付けられ、該湾曲形状部の平坦形状部側外面から端部側外面に亘って当接するように湾曲又は折れ曲がった形状を有する保形側支持部と、から構成され、展開側支持部及び保形側支持部は、互いに分離可能に連結されていることが好ましい。
【００１０】
また、作動部は、少なくとも端部に当接して湾曲形状部が展開する方向に回動する当接部と、展開側支持部に固定される締結部と、締結部に対して当接部を回動可能に連結する回動支持部と、から構成されることが好ましい。
【００１１】
また、当接部は、湾曲形状部の外面側から端部を通り内面側に至る形状に沿うように湾曲又は折れ曲がった形状を有し、湾曲形状部の内面に当接することが好ましい。
【００１２】
また、移動機構部は、一端が当接部に固定され、該一端から当接部が回動する方向に沿って設けられたバンド部と、展開側支持部に固定され、バンド部の他端側に係合してバンド部の一端を引き寄せる引張り駆動部と、から構成されることが好ましい。
【００１３】
また、展開側支持部は、平坦形状部の外面に当接すると共に、保形側支持部と連結される第１支持部と、少なくとも湾曲形状部の頂部に当接する第２支持部と、から構成されることが好ましい。
【００１４】
また、保形側支持部は、湾曲形状部の内面に当接する内接部を有することが好ましい。
【発明の効果】
【００１５】
本発明に係る移動手摺補修用器具によれば、平坦形状部の外面及び少なくとも一方の湾曲形状部の外面に当接して、移動手摺を支持する支持部と、支持部に移動可能に設けられ、少なくとも端部に当接して湾曲形状部が展開する方向に移動する作動部と、湾曲形状部が展開する方向に作動部を移動させる移動機構部と、を備えるので、移動手摺の湾曲形状部を容易に展開することができる。例えば、１人で補修作業を行うことが可能になり、したがって、補修作業の負荷を軽減することができる。
【００１６】
また、支持部は、一方の湾曲形状部側に取り付けられ、作動部が移動可能に設けられる展開側支持部と、他方の湾曲形状部側に取り付けられ、該湾曲形状部の平坦形状部側外面から端部側外面に亘って当接するように湾曲又は折れ曲がった形状を有する保形側支持部と、から構成され、展開側支持部及び保形側支持部は、互いに分離可能に連結された構成とすれば、器具を簡便、迅速に取り付けることができると共に、より安定して移動手摺を支持することが可能になる。したがって、作業負荷のさらなる軽減を図ることができる。
【００１７】
また、作動部は、少なくとも端部に当接して湾曲形状部が展開する方向に回動する当接部と、展開側支持部に固定される締結部と、締結部に対して当接部を回動可能に連結する回動支持部と、を備えるものとすれば、簡便で安価な構成であって、また、コンパクトな展開動作が可能になる。
【００１８】
また、当接部は、湾曲形状部の外面側から端部を通り内面側に至る形状に沿うように湾曲又は折れ曲がった形状を有し、湾曲形状部の内面に当接する構成とすれば、湾曲形状部の展開性がさらに良好なものとなる。
【００１９】
また、移動機構部は、一端が当接部に固定され、該一端から当接部が回動する方向に沿って設けられたバンド部と、展開側支持部に固定され、バンド部の他端側に係合してバンド部の一端を引き寄せる引張り駆動部と、を備えるものとすれば、簡便、安価で、操作性も良好な構成とすることができる。
【００２０】
また、展開側支持部は、平坦形状部の外面に当接すると共に、保形側支持部と連結される第１支持部と、少なくとも湾曲形状部の頂部に当接する第２支持部と、を備えるものとすれば、湾曲形状部の端部側を容易に展開することが可能になる。
【００２１】
また、保形側支持部は、湾曲形状部の内面に当接する内接部を有するものとすれば、さらに安定した移動手摺の支持が可能になる。
【図面の簡単な説明】
【００２２】
【図１】本発明に係る第１の実施形態における移動手摺補修用器具が移動手摺に取り付けられた状態を示す図である。
【図２】図１のＡ−Ａ線断面図である。
【図３】図２において、移動手摺の湾曲形状部を展開した状態を示す図である。
【図４】本発明に係る第２の実施形態における移動手摺補修用器具が移動手摺に取り付けられた状態の要部断面を示す図である。
【図５】図４において、移動手摺の湾曲形状部を展開した状態を示す図である。
【図６】本発明に係る第３の実施形態における移動手摺補修用器具が移動手摺に取り付けられた状態を示す図である。
【図７】図６のＡ−Ａ線断面図である。
【図８】図７において、移動手摺の湾曲形状部を展開した状態を示す図である。
【図９（ａ）】移動手摺が設けられたエスカレータを示す模式図である。
【図９（ｂ）】移動手摺が欄干部から外された状態のエスカレータを示す模式図である。
【発明を実施するための形態】
【００２３】
以下に図面を用いて、本発明に係る実施の形態につき、詳細に説明する。ここで、図１〜３は、第１の実施形態、図４、５は、第２の実施形態、図６〜８は、第３の実施形態、における移動手摺補修用器具１０（以下、補修用器具１０とする）を示す図である。なお、以下では、補修用器具１０及び主要構成要素について、第１の実施形態に係る要素にａ、第２の実施形態に係る要素にｂ、第３の実施形態に係る要素にｃ、それぞれを付する（第２、第３の実施形態について、第１の実施形態と同一の要素にはａを付する）。
【００２４】
また、図９は、移動手摺５０が設けられたエスカレータ５４を示す模式図であり、図９（ａ）は、移動手摺１０が手摺レール５７に取り付けられた状態、図９（ｂ）は、移動手摺１０が手摺レール５７から取り外された状態をそれぞれ示す。以下では、補修用器具１０は、エスカレータ５４の移動手摺５０に用いられるものとして説明するが、一般的に、その他の乗客コンベアの移動手摺も同様の形態を備えるので、その他の移動手摺についても補修用器具１０を適用することができる。
【００２５】
図９（ａ）に示すように、エスカレータ５４は、複数のステップ５５が上階と下階との間を循環する昇降装置である。ステップ５５の両側には、ステップ５５と共に移動する移動手摺５０を取り付けるための欄干部５６が設けられている。ステップ５５は、乗客を運搬するための踏段であって、図示しない駆動装置によってステップチェーンが駆動されることで、移動する仕組みになっている。
【００２６】
移動手摺５０は、ステップ５５の移動と共に移動する手摺であって、欄干部５６上に設けられた手摺レール５７に取り付けられている。上記のように、移動手摺５０は、化粧ゴムと、化粧ゴムの内側に数層積層された帆布と、から構成されており、帆布の間にスチール製薄板が挿入されているものもある。このような構成を有する移動手摺５０の剛性は高く耐久性に優れたものであるが、例えば、長期の使用によって、亀裂や割れ等の損傷が発生する場合があり、その場合には、図９（ｂ）に示すように、移動手摺５０を手摺レール５７から取り外して補修作業を行う必要がある。
【００２７】
ここで、図１を用いて、移動手摺５０の幅方向断面の形状について説明する（補修用器具１０については後述する）。同図に示すように、移動手摺５０の幅方向断面の形状は、Ｃ字状であって、内面が手摺レール５７（図９）に当接する平坦形状部５１と、平坦形状部５１の両側から内面側に湾曲した２つの湾曲形状部５２と、手摺レール５７の挿入口をあけて対向する２つの端部５３と含み、湾曲形状部５２によって手摺レール５７から外れないようになっている。
【００２８】
上記のように、長期の使用等によって発生した移動手摺５０の損傷が、湾曲形状部５２や湾曲形状部５２と近接する部分に存在する場合（例えば、損傷箇所１００）には、湾曲形状部５２を展開して、損傷箇所１００の帆布を張り替える等の補修作業を行う必要がある。補修用器具１０は、このような移動手摺５０の補修を行う際に用いられ、移動手摺５０の湾曲形状部５２を容易に展開することが可能な器具である。
【００２９】
図１〜３を用いて、第１の実施形態における補修用器具１０ａについて説明する。図１に示すように、補修用器具１０ａは、展開側支持部１１ａ及び保形側支持部１２ａから構成される支持部と、作動部１３ａと、移動機構部１４ａと、を主要構成要素として備える。ここで、図１は、補修用器具１０ａが、損傷箇所１００を有する移動手摺５０に取り付けられた状態を示す。
【００３０】
図１に示すように、補修用器具１０ａは、移動手摺５０の幅方向が鉛直方向に沿うように且つ損傷箇所１００が鉛直下方側に位置するように移動手摺５０を固定している。なお、補修用器具１０ａは、例えば、エスカレータ５４の乗場床やステップ５５、或いは乗場等において可動式の作業台などに置かれて使用される。補修用器具１０は、１つの展開側支持部１１ａに、２つの作動部１３ａを備え、２つの作動部１３ａが損傷箇所１００の両側に位置するように取り付けられている。そして、各作動部１３ａには、それぞれ移動機構部１４ａが設置されている。
【００３１】
展開側支持部１１ａ及び保形側支持部１２ａは、いずれも平坦形状部５１の外面及び湾曲形状部５２の外面に当接して、補修作業時において移動手摺１２を安定に支持する支持部である。図２に示すように、展開側支持部１１ａ及び保形側支持部１２ａには、例えば、長手方向に沿った任意の位置に設けられた凸部、凹部からなる嵌合部２１により互いに連結された状態で使用される。ここで、図２は、図１のＡ−Ａ線断面図である。また、図１に示すように、展開側支持部１１ａ及び保形側支持部１２ａの長手方向に沿った両端等には、留め具１５が設けられ、嵌合状態が外れないように固定されている。なお、本明細書において、補修用器具１０の各構成要素における長手方向は、特に規定しない限り、移動手摺５０に取り付けられたときに、移動手摺５０の長手方向に沿う方向を意味する。
【００３２】
展開側支持部１１ａは、Ｌ字形状に加工された厚板から構成される。ここで、展開側支持部１１ａは、平坦形状部５１の外面に当接する第１支持部３０と、損傷箇所１００が存在して展開しようとする湾曲形状部５２の頂部に当接する第２支持部３１とを有するものとして説明する。湾曲形状部５２の頂部とは、移動手摺５０の幅方向に沿った最端部（略最端部も含む）を意味する。
【００３３】
展開側支持部１１ａの第１支持部３０は、移動手摺５０の平坦形状部５１に沿って取り付けられ、上端に嵌合部２１の凸部を有し、保形側支持部１２ａと連結される。また、第１支持部３０に対して垂直に延びる第２支持部３１には、２つの作動部１３ａが設置される。作動部１３ａは、湾曲形状部５２と当接する内側面、具体的には、第２支持部３１の根元（第１支持部３０と接する部分）から少なくとも移動手摺５０の厚みに相当する長さ離れた位置に設置される。ここで、移動手摺５０の厚みとは、平坦形状部５１の外面から湾曲形状部５２の端部５３側外面までの長さを意味する。
【００３４】
保形側支持部１２ａは、略コの字形状に加工された厚板から構成され、平坦形状部５１の外面と展開しない湾曲形状部５２の外面に当接する。内側面（当接面）は、湾曲形状部５２の湾曲形状に沿って湾曲した形状を有し、湾曲形状部５２の外面に密接することを可能とする。また、略コの字形状であるから、湾曲形状部５２の平坦形状部５１側から端部５３側の外面に亘って密接する。このように、保形側支持部１２ａは、湾曲形状部５２の端部５３側まで当接するので、補修作業時における移動手摺５０の安定な支持が可能になる。なお、図２に示すように、保形側支持部１２ａは、平坦形状部に沿った部分の下端に嵌合部２１の凹部を有し、展開側支持部１１ａ（第１支持部３０）と連結される。
【００３５】
また、保形側支持部１２ａは、端部５３側に位置する先端に、内接部３４を有する。内接部３４は、移動手摺５０の端部５３、湾曲形状部５２の内面に当接する部材であって、その形状は、Ｌ字形状であり且つ湾曲形状部５２の湾曲形状に沿った形状を有する。したがって、湾曲形状部５２の内面に密接することが可能であり、移動手摺５０のより安定な支持を可能にする。なお、内接部３４は、装着性向上の観点から、図２に示すように、端部５３側に位置する端面にビス等で締結される取り外し自在の部材であることが好ましい。
【００３６】
上記のように、展開側支持部１１ａ及び保形側支持部１２ａは、補修作業時において移動手摺５０を安定に支持するため、取り扱い性を考慮した上で、湾曲形状部５２の展開時に動かない程度の重量であることが好ましい。特に、展開側支持部１１ａは、移動手摺５０の鉛直下方側に置かれるため、ステンレス鋼（ＳＵＳ）等の金属から構成されることが好ましい。一方、保形側支持部１２ａは、展開側支持部１１ａほど大きな荷重がかからないので、アルミニウム等の軽量金属や樹脂材料等により構成することもできる。
【００３７】
また、展開側支持部１１ａ及び保形側支持部１２ａのサイズとしては、長手方向に沿った長さについて、移動手摺５０を安定に支持する観点から、取り扱い性を考慮した上で、図１に示すように、２つの作動部１３ａを設けることができ、損傷箇所１００の両側に作動部１３ａを取り付けて補修作業ができる程度の長さであることが好ましい。また、移動手摺５０の幅や厚みにも適合したサイズであることが要求されるので、例えば、汎用性を高めるために、長さを調整するアジャスタを設けることもできる。
【００３８】
作動部１３ａは、上記のように、展開側支持部１１ａの第２支持部３１に移動可能に設けられ、少なくとも移動手摺５０の端部５３に当接して湾曲形状部５２が展開する方向に移動する部材である。図１に示すように、作動部１３ａは、移動手摺５０の端部５３を含む湾曲形状部５２に当接する当接部である湾曲当接板１６と、展開側支持部１１ａの第２支持部３１に固定される締結部１７と、締結部１７に対して湾曲当接板１６を回動可能に連結する回動支持部１８とから構成される。
【００３９】
湾曲当接板１６は、端部５３を含む湾曲形状部５２に当接すると共に、湾曲形状部５２が展開する方向に回動する。図１に示すように、湾曲当接板１６は、湾曲形状部５２の外面側から端部５３を通り内面側までの形状に沿って湾曲した形状を有する。このように、湾曲当接板１６は、湾曲形状部５２の内面に当接するため、回動支持部１８を中心に回動したときに、湾曲形状部５２を展開する方向に引っ張ることができる。また、湾曲当接板１６は、湾曲形状部５２の外面側にも密接するため、移動手摺５０を安定に支持しながらコンパクトな動作によって湾曲形状部５２を展開することができる。
【００４０】
上記のように、湾曲当接板１６を湾曲形状部５２の内面に引っ掛けて取り付けた状態で回動させると、湾曲形状部５２は展開するが、そのときには、湾曲当接板１６に大きな荷重が作用する。したがって、湾曲当接板１６は、少なくともその荷重によって変形しない機械的強度が要求され、剛性の高い金属板から構成されることが好ましい。また、長手方向に沿った長さについても、耐荷重性の観点から、例えば、５〜２０ｃｍ程度の長さを有することが好ましい。
【００４１】
締結部１７は、展開側支持部１１ａの第２支持部３１に固定するための部材であり、これにより、湾曲当接板１６の安定した回動を可能になる。締結部１７としては、例えば、ビスと、そのビスが挿入されるビス孔が形成された金属板とから構成することができ、第２支持部３１には、ビスが締結できるビス溝が形成される。また、第２支持部３１の内側面において、移動手摺５０が当接する部分と締結部１７が設置される部分との間に段差を設けることができる。この段差の高さは、締結部１７と湾曲当接板１６の板厚分に相当し、湾曲当接板１６のスムーズな回動に寄与する。
【００４２】
上記のように、締結部１７の設置位置は、第２支持部３１の根元から少なくとも移動手摺５０の厚みに相当する長さ離れた位置である。なお、締結部１７の設置位置を、例えば、展開側支持部１１ａに複数のビス溝を形成する等して、移動手摺５０の厚み等に応じて変更できるように構成することもできる。
【００４３】
回動支持部１８は、締結部１７に対して湾曲当接板１６を回動可能に連結する機能を有し、湾曲当接板１６が回動するときに回転中心となる。回動支持部１８の回転軸は、湾曲当接板１６（移動手摺５０）の長手方向に沿うように設けられ、湾曲当接板１６が湾曲形状部５２の展開方向に回動することを可能にしている。回動支持部１８としては、例えば、湾曲当接板１６及び締結部１７の長手方向に沿った回転軸と、湾曲当接板１６及び締結部１７の端部（連結部分）に形成され該回転軸が挿入される筒状軸受けとから構成することができる。
【００４４】
移動機構部１４ａは、湾曲形状部５２が展開する方向に作動部１３ａの湾曲当接板１６を移動させる機能を有する。図１に示すように、移動機構部１４ａとしては、例えば、所謂締め付けバンドと同様の機構を適用することができ、係止部（スリット）が形成されたバンド１９と、バンド１９が通されてバンド１９を長手方向に沿って引っ張る引張り駆動部２０と、から構成することができる。引張り駆動部２０は、バンド１９の係止部に係合する係合突起が形成された係合回転軸を有する。また、引張り駆動部２０には、係合回転軸を回転させるための操作部として、例えば、係合回転軸の上端にドライバ等の工具の装着部が形成される。そして、引張り駆動部２０の係合回転軸を回転させると、係合突起がバンド１９の係合部と係合しながらバンド１９が引張り駆動部２０から送り出される。
【００４５】
移動機構部１４ａの引張り駆動部２０は、回動支持部１８から所定長さ離間した展開側支持部１１ａの端部に設置される。ここで、所定長さとは、湾曲当接板１６のスムーズな回動を実現する観点から、少なくとも湾曲当接板１６の高さ（回動支持部１８から端部５３に当接する部分までの長さ）に相当する長さであることが好ましい。このような長さに設定すれば、後述の図３に示すように、湾曲形状部５２が大きく展開するまで、湾曲当接板１６のスムーズな回動を可能にすることができる。したがって、展開側支持部１１ａの第２支持部３１の長さは、少なくとも移動手摺５０の厚みと湾曲当接板１６の高さとを足した長さであることが好ましい。
【００４６】
移動機構部１４ａのバンド１９の一端は、湾曲当接板１６の一部、例えば、端部５３に当接する部分に取り付けることができる。また、バンド１９の他端は、湾曲形状部５２の展開前においては引張り駆動部２０に取り付けられる。したがって、バンド１９は、少なくとも湾曲当接板１６の端部５３に当接する部分から引張り駆動部２０までの長さを有することが要求される。上記のように、引張り駆動部２０の係合回転軸を回転させると、バンド１９の一端が引き寄せられ、したがって、バンド１９の一端が固定された湾曲当接板１６が引っ張られる。
【００４７】
上記構成を有する補修用器具１０ａの作用、即ち補修用器具１０ａを用いた湾曲形状部５２の展開方法について、図２、図３を用いて説明する。上記のように、図２は、図１のＡ−Ａ線断面図であり、湾曲形状部５２の展開前の状態を示している。図３は、図２において、湾曲形状部５２を展開した状態を示す図である。
【００４８】
まず初めに、移動手摺５０の補修作業は、例えば、エスカレータ５４の乗場等において行われ、嵌合部２１の凸部が鉛直上方を向くように、展開側支持部１１ａの第２支持部３１が乗場床に対して水平に置かれる。そして、展開側支持部１１ａは、移動手摺５０の損傷箇所１００が２つの作動部１３ａの間に位置するようにして、移動手摺５０に取り付けられる。具体的には、作動部１３ａの湾曲当接板１６の先端を端部５３に引っ掛けて湾曲当接板１６の先端を湾曲形状部５２の内面に当接させると共に、展開側支持部１１ａの第１支持部３０が平坦形状部５１の外面に当接するように取り付けられる。なお、取り付け作業は、取り付け性向上の観点から、移動機構部１４ａのバンド１９の引張りを緩めた状態、バンド１９を引張り駆動部２０から外した状態、或いは締結部１７のビスを外した状態で行われることが好ましい。
【００４９】
次に、損傷箇所１００が存在しない湾曲形状部５２等を支持するために、保形側支持部１２ａが取り付けられる。具体的には、湾曲形状部５２の外面に保形側支持部１２ａの湾曲した内側面が当接するように調整しながら、展開側支持部１１ａの凸部に、保形側支持部１２ａの凹部を嵌合し、留め具１５（図１）を留めることにより取り付けられる。このように、展開側支持部１１ａ及び保形側支持部１２ａを分離連結自在な構造とすることにより、補修作業時において移動手摺５０を安定に支持できると共に、移動手摺５０への取り付けを容易に行うことができる。
【００５０】
図２に示すように、展開側支持部１１ａ及び保形側支持部１２ａにより、移動手摺５０が安定に支持された状態で、移動機構部１４ａの引張り駆動部２０を操作することにより、損傷箇所１００が存在する側の湾曲形状部５２を展開することができる。引張り駆動部２０の係合回転軸が回転操作されると（バンド１９の一端を引っ張る方向に）、湾曲当接板１６に固定されたバンド１９の一端が引張り駆動部２０に引き寄せられる。即ち、バンド１９は、引張り駆動部２０から鉛直下方側に送り出されるので、湾曲当接板１６は、バンド１９によって引っ張られ回動支持部１８を回転中心として回動することになる。そして、引張り駆動部２０の操作を継続することで、図３に示すように、湾曲当接板１６と締結部１７とが接触する状態となる。このようにして、湾曲形状部５２を展開することができる。
【００５１】
以上のように、補修用器具１０ａによれば、展開側支持部１１ａ及び保形側支持部１２ａから構成される支持部と、湾曲当接板１６、締結部１７及び回動支持部１８を含む作動部１３ａと、バンド１９及び引張り駆動部２０を含む移動機構部１４ａと、を備えるので、１人でも湾曲形状部５２を容易に展開することが可能になり、補修作業の負荷を軽減することができる。また、展開側支持部１１ａは、第１支持部３０と、第２支持部３１と、を備えるので、特に、湾曲形状部５２の端部５３側を十分に展開することが可能になる。
【００５２】
図４、５を用いて、第２の実施形態における補修用器具１０ｂについて説明する。ここで、図４は、補修用器具１０ｂが移動手摺５０に取り付けられた状態の要部断面を示す図であり、第１の実施形態に係る図２に対応する図である。図５は、図４において、移動手摺の湾曲形状部５２を展開した状態を示す図である。なお、補修用器具１０ａと同一の要素については、同じ符号を付し説明を省略する（第３の実施形態についても同様）。
【００５３】
補修用器具１０ｂは、作動部１３ｂを移動手摺５０の幅方向に沿ってスライドさせることにより湾曲形状部５２を展開することを特徴とする。図４に示すように、補修用器具１０ｂは、補修用器具１０ａと同様に、展開側支持部１１ｂと、保形側支持部１２ｂと、作動部１３ｂと、移動機構部１４ｂと、を主要構成要素として備える。
【００５４】
展開側支持部１１ｂは、第１支持部３０と、第２支持部３２と、を備える。第２支持部３２は、作動部１３ｂのスライド板２３が挿通される貫通孔３３を有し、貫通孔３３の内面には、スライド板２３をスライド可能に支持するための図示しない係合溝が形成されている。そして、第２支持部３２の外側には、移動機構部１４ｂのピニオン２６が設置されている。なお、保形側支持部１２ｂは、当接面の形状が外形形状と同様に略コの字である。
【００５５】
作動部１３ｂは、移動手摺５０の端部５３に当接する当接板２２と、移動機構部１４ｂの一部が設けられたスライド板２３とから構成され、全体としてＬ字形状を有する。なお、作動部１３ｂには、湾曲形状部５２を展開する際に大きな荷重が加わるので、剛性の高いＳＵＳ等の金属板から構成されることが好ましい。また、当接板２２の先端を湾曲形状部５２の内面側に折り曲げた形状とすることもできる。
【００５６】
スライド板２３は、展開側支持部１１ｂの第２支持部３２にスライド可能に支持された金属板であって、スライド用係合突起２４と、移動機構部１４ｂの一部であるラック２５と、が形成されている。スライド用係合突起２４は、スライド板２３の側面に沿って形成され、第２支持部３２の貫通孔３３内に形成された係合溝と係合する。スライド板２３は、このスライド用係合突起２４と展開側支持部１１ｂの係合溝によって、展開側支持部１１ｂにスライド可能に支持されている。ラック２５は、スライド板２３の板面（表面）上に形成され、ピニオン２６の歯と係合する歯を有する。
【００５７】
移動機構部１４ｂは、スライド板２３に形成されたラック２５と、ラック２５に係合するピニオン２６と、を備える。ピニオン２６は、ピニオン回転軸２７を中心として回転可能に、第２支持部３２の外側に設けられている。ピニオン２６には、図４の紙面に対して手前側に延びる操作軸２８が取り付けられ、この操作軸２８を操作することによりピニオン２６を回転させることができる。
【００５８】
図５に示すように、操作軸２８を操作してピニオン２６を時計回りに回転させることにより、スライド板２３が移動手摺５０の幅方向に沿って外側にスライドする。スライド板２３の板面に対して垂直に設けられる当接板２２も移動手摺５０の幅方向に沿って外側に移動するので、当接板２２と当接する移動手摺５０の端部５３に外側方向の荷重が加わり、同図に示すように、湾曲形状部５２が展開される。なお、湾曲形状部５２がより展開し易いように、例えば、湾曲形状部５２を僅かに展開した状態で当接板２２をセットすることもできる。
【００５９】
図６〜８を用いて、第３の実施形態における補修用器具１０ｃについて説明する。ここで、図６は、補修用器具１０ｃが移動手摺５０に取り付けられた状態を示す斜視図であり、図７は、図６のＡ−Ａ線断面図、図８は、図７において、湾曲形状部５２を展開した状態を示す図である。
【００６０】
補修用器具１０ｃは、移動手摺５０の損傷が大きい場合、特に湾曲形状部５２から平坦形状部５１に至るような損傷箇所（例えば、損傷箇所１０１）が存在するとき、或いは平坦形状部５１に損傷箇所が存在するときに好適である。図６に示すように、補修用器具１０ｃは、補修用器具１０ａと同様に、展開側支持部１１ｃと、保形側支持部１２ｃと、作動部１３ｃと、移動機構部１４ａと、を主要構成要素として備える。なお、補修用器具１０ｃは、コンパクトサイズであって、図６では、２つの補修用器具１０ｃを損傷箇所１０１の両側に取り付けた状態を示している。
【００６１】
図６に示すように、展開側支持部１１ｃは、平坦形状部５１の外面に当接する第１支持部（第１支持部＝展開側支持部１１ｃ）から構成され、補修用器具１０ａのように、湾曲形状部５２に当接する第２支持部３１を有さない。図７に示すように、展開側支持部１１ｃには、作動部１３ｃの締結部１７、移動機構部１４ａの引張り駆動部２０が設置される。ここで、締結部１７は、例えば、補修用器具１０ｃを移動手摺５０に取り付けた状態で、損傷箇所１０１が存在する側の湾曲形状部５２の頂部の位置に対応する部分（頂部の接線が通る部分）よりも外側に設置される。また、引張り駆動部２０は、回動支持部１８から所定長さ離間した展開側支持部１１ｃの端部に設置される。ここで、所定長さとは、少なくとも湾曲当接板１６の高さ（移動手摺５０の厚みに相当）に相当する長さであることが好ましい。
【００６２】
作動部１３ｃは、湾曲形状部５２の形状に沿って折れ曲がった折曲当接部２９と、締結部１７と、回動支持部１８と、から構成される。図７に示すように、折曲当接部２９は、湾曲形状部５２の端部５３に近接する外面、端部５３、及び湾曲形状部５２の内面だけでなく、湾曲形状部５２の頂部にも当接している。即ち、補修用器具１０ｃは、この点が、補修用器具１０ａと大きく異なり、補修用器具１０ａの第２支持部３１の代わりに、折曲当接部２９が湾曲形状部５２の頂部に当接する。なお、移動機構部１４ａのバンド１９の一端は、折曲当接部２９の端部５３に当接する部分に固定されている。
【００６３】
図７に示すように、展開側支持部１１ｃ及び保形側支持部１２ｃにより、移動手摺５０が安定に支持された状態で、移動機構部１４ａの引張り駆動部２０を操作することにより、損傷箇所１０１が存在する側の湾曲形状部５２を展開することができる。引張り駆動部２０の係合回転軸が回転操作されると、バンド１９が引張り駆動部２０から鉛直下方側に送り出されるので、折曲当接部２９は、バンド１９によって引っ張られ回動支持部１８を回転中心として回動することになる。そして、引張り駆動部２０の操作を継続することで、図８に示すように、折曲当接部２９と締結部１７とが接触する状態となる。このようにして、湾曲形状部５２を展開することができる。
【００６４】
図８に示すように、補修用器具１０ｃによれば、湾曲形状部５２の端部５３側を展開することはできないが、平坦形状部５１側を展開することができ、損傷箇所１０１のように平坦形状部５１に至るような大きな損傷、或いは平坦形状部５１に損傷箇所が存在するときに好適である。
【符号の説明】
【００６５】
１０  移動手摺補修用器具、１１  展開側支持部、１２  保形側支持部、１３  作動部、１４  移動機構部、１５  留め具、１６  湾曲当接板、１７  締結部、１８  回動支持部、１９  バンド、２０  引張り駆動部、２１  嵌合部、２２  当接板、２３  スライド板、２４  スライド用係合突起、２５  ラック、２６  ピニオン、２７  ピニオン回転軸、２８  操作軸、２９  折曲当接板、３０  第１支持部、３１、３２  第２支持部、３３  貫通孔、３４  内接部、５０  移動手摺、５１  平坦形状部、５２  湾曲形状部、５３  端部、５４  エスカレータ、５５  ステップ、５６  欄干部、５７  手摺レール、１００、１０１  損傷箇所。
【図１】
2010265075.tif 000003
【図２】
2010265075.tif 000004
【図３】
2010265075.tif 000005
【図４】
2010265075.tif 000006
【図５】
2010265075.tif 000007
【図６】
2010265075.tif 000008
【図７】
2010265075.tif 000009
【図８】
2010265075.tif 000010
【図９（ａ）】
2010265075.tif 000011
【図９（ｂ）】
2010265075.tif 000012